(57)【特許請求の範囲】
【請求項１】
振動を発生する機器が配置された振動発生領域と、該領域からの振動伝搬を防止するため構造的に分離して設けられた振動抑制領域と、両領域の構造体間に設けられた絶縁領域とを有する建築物であって、
前記絶縁領域上を覆う前記振動発生領域の構造体と前記振動抑制領域の構造体とからそれぞれ突出する庇を接触することなく上下に離隔するように各別に突設すると共に、上下の庇の平面位置が重なり合うように設けたことを特徴とする振動伝搬防止構造を備える建築物。
【請求項２】
振動発生領域と振動抑制領域とを繋ぐ振動伝搬防止ジョイントを介してダクトを振動発生領域側に向けて下り勾配になるように設けたことを特徴とする請求項１記載の建築物。
【請求項３】
振動抑制領域の外壁に間仕切壁を設けることにより、前記外壁から漏水した水を外部へ排水する緩衝室を設けたことを特徴とする請求項１または請求項２記載の建築物。
【発明の詳細な説明】
【０００１】
【発明が属する技術分野】
本発明は振動伝搬防止構造を備える建築物に関し、さらに詳細には、振動発生領域から構造的に分離して設けられた振動抑制領域において漏水防止及び振動伝搬防止を可能にする建築物に関する。
【０００２】
【従来の技術】
半導体ＩＣ等の電子部品を製造する工場では、空調機などの振動が発生する機械が置かれた領域を、製造・検査等を行なう生産領域から構造的に分離し、振動が生産領域に伝搬することを防止している。そして、防水などの配慮から、振動発生領域と生産領域とは、例えば、エキスパンションジョイント等の仕上材で連結したり、両領域間に空調等の設備ダクトを架け渡すことが行なわれている。この設備ダクトは各領域の接続部に軟質材料からなるコーキング材が充填され、振動発生領域から生産領域へ振動が伝搬しないように中間部に振動伝搬防止ジョイントが設けられている。
【０００３】
しかしながら、エキスパンションジョイント等の仕上材を設けた場合、たとえ振動発生領域と生産領域の躯体が構造的に分離していたとしても、両領域間は僅かに連続し、振動の伝搬を完全に遮断することはできず、しかも、工場のように比較的規模が大きくなりがちな建築物では、エキスパンションジョイントの長さも膨大になり、多大な材料・施工コストを要するという欠点がある。
【０００４】
また前記設備ダクトにおけるコーキング材は経年変化により劣化をきたすものであり、この設備ダクトが風雨に曝された場合には、この劣化部分から雨水が染み込むことがある。この場合、生産設備の稼働を停止し、多くの日時を費やして漏水箇所を特定するための調査を行なわなければならず、さらに、生産領域にクリーンルームが存在し、これに雨水が浸入した場合には、クリーンルームとしての機能を回復するために要する費用と手間は膨大なものになる。
【０００５】
【発明が解決しようとする課題】
本発明の課題は、振動発生領域から構造的に分離して設けられた振動抑制領域において漏水防止及び振動伝搬防止を可能にする建築物を提供することにある。
【０００６】
また本発明の課題は、設備ダクトからの漏水防止のため建築物を構成するコーキング材等の材料に、経年変化による劣化が生じた場合であっても、振動抑制領域には雨水が染み込まないようにした建築物を提供することにある。
【０００７】
さらに本発明の課題は、エキスパンションジョイント等のように漏水防止効果を有する仕上材を用いること無く、該仕上材と比較して材料・施工コストを低く抑えることができる建築物を提供することにある。
【０００８】
【課題を解決するための手段】
本発明によれば、振動を発生する機器が配置された振動発生領域と、該領域からの振動伝搬を防止するため構造的に分離して設けられた振動抑制領域と、両領域の構造体間に設けられた絶縁領域とを有する建築物であって、前記絶縁領域上を覆う前記振動発生領域の構造体と前記振動抑制領域の構造体とからそれぞれ突出する庇を接触することなく上下に離隔するように各別に突設すると共に、上下の庇の平面位置が重なり合うように設けたことを特徴とする振動伝搬防止構造を備える建築物が提供される。
また本発明において、振動発生領域と振動抑制領域とを繋ぐ振動伝搬防止ジョイントを介してダクトを振動発生領域側に向けて下り勾配になるように設けたことにより、振動発生領域からの振動が振動抑制領域に伝搬しないようにする。
さらに本発明において、振動抑制領域の外壁に間仕切壁を設けることにより、前記外壁から漏水した水を外部へ排水する緩衝室を設けたことが好ましく、緩衝室における間仕切り壁と床とは、緩衝室から振動抑制領域における他の部分へ水が染み込まないような防水構造に構成する。
【０００９】
【発明の実施の形態】
本発明は、空調機械棟の振動発生領域とクリーンルームなど生産棟としての振動抑制棟の間の絶縁領域に、互いの棟からの庇を上下に離隔して接触することなく、しかも互いの庇を平面位置が重なり合うように突設したものである。
【００１１】
【実施例】
以下、添付図面を参照して本発明の好適な実施形態を説明する。
【００１２】
図１（ａ）（ｂ）は電子部品工場１０の平面図及び断面図であり、図２は図１を部分的に拡大して示した断面図である。図１及び図２における電子部品工場１０は、本発明にかかる振動伝搬防止構造を備えた建築物であって、空調機械棟１５からの振動が生産棟１１に伝搬しないように、両棟１１，１５が絶縁領域１４を介して構造的に分離して設けられ、絶縁領域１４の上を覆うように両棟１１，１５の屋根１９ｂ，１８ｂからそれぞれ庇１６，１７が各別に突設されている。
【００１３】
ここで、空調機械棟１５は床スラブ１８ａ，屋根１８ｂ、外壁１８ｃなどにより構成され、空調機などの振動が発生する機械が空調機械室１８に置かれる。
一方、生産棟１１は床スラブ１２ａ、屋根１９ｂ、外壁１３ｃなどにより構成され、間仕切壁１３ｂにより緩衝室１３とクリーンルーム１２とに区切られ、さらに、クリーンルーム１２の上方には天井１９ａにより天井裏スペース１９ａが形成される。緩衝室１３の床１３ａは外壁１３ｃから浸入した水をクリーンルーム１２側に流さず、且つ、外部に排水することができるように防水床１３ａとして形成される。また間仕切壁１３ｂも、防水床１３ａと同様に、外壁１３ｃから浸入した水をクリーンルーム１２側に染み込ませないように構成される。
【００１４】
前記庇１６，１７は、それぞれ生産棟１１と空調機械棟１５の対向面の全長にわたって突出するように設けられ、空調機械棟１５の庇１６は、生産棟１１の庇１７に接触すること無くその上方に離隔するように配置され、上下の庇１６，１７の平面位置は重なり合うように配置される。
【００１５】
また生産棟１１と空調機械棟１５の対向面には、ここを貫通する空調ダクト２０が設けられ、空調機械棟１５において空調処理された空気が空調ダクト２０を通してクリーンルーム１２に供給される。すなわち、生産棟１１の外壁１３ｃと空調機械棟１５の外壁１８ｃとにそれぞれ貫通孔（図示せず）を穿設してここにダクト２２，２１を挿通し、各貫通孔とダクト２２，２１との隙間を軟質材料からなるコーキング材（図示せず）で塞ぎ、これらダクト２２，２１の先端どうしを振動伝搬防止ジョイント２３で連結することにより、空調ダクト２０を構成している。
【００１６】
ここで、ダクト２２は生産棟１１から絶縁領域１４に向けて下り勾配になるように設置する一方で、ダクト２１は空調機械棟１５から絶縁領域１４に向けて上り勾配になるように設置し、空調ダクト２０全体として生産棟１１から空調機械棟１５へ下り勾配に形成される。
【００１７】
なお、振動伝搬防止ジョイント２３は慣用のジョイントを使用することができて、例えば、キャンバス継手（フレキシブル・ジョイント）のようなジョイントが使用可能である。この振動伝搬防止ジョイント２３により、空調機械棟１５からダクト２１に伝わった振動は遮断されて、生産棟１１側のダクト２２には伝搬しない。
また図２において、屋根１８ｂ，１９ｂとして折板屋根を図示したが、これに限定されるものではない。
【００１８】
以上のように構成された建築物では、生産棟１１と空調機械棟１５から各別に突設された庇１６，１７により絶縁領域１４が覆われているので、この絶縁領域１４における空調ダクト２０や外壁１３ｃ，１８ｃのコーキング材に直接的に雨水が降りかかることが無く、したがって、空調ダクト２０やコーキング材に損傷が生じた場合であっても、生産棟１１と空調機械棟１５に漏水が生じる可能性は極度に低く抑えられる。
【００１９】
また非常に少ない可能性ではあるものの、空調ダクト２０やコーキング材に損傷が生じているときに、空調ダクト２０に直接的に雨水が降りかかった場合であっても、空調ダクト２０は空調機械棟１５へ向けて下り勾配に形成されているので、雨水はダクト２１を伝わり空調機械棟１５側に流れ下るのみで、生産棟１１に雨水が流れ込むことは無く、したがって、生産棟１１に設けられたクリーンルームのような施設は漏水から保護される。
【００２０】
更に可能性としては低いものであるが、例えば、外壁１３ｃから生産棟１１内に漏水した場合であっても、外壁１３ｃとクリーンルーム１２との間には緩衝室１３が設けられているので、この水は間仕切壁１３ｂでクリーンルーム１２から遮断されると共に、緩衝室１３における防水床１３ａを介して外部に排出される。したがって、クリーンルーム１２は緩衝室１３により漏水による被害から保護されている。
【００２１】
【発明の効果】
本発明の振動伝搬防止構造を備える建築物では、振動発生領域と振動抑制領域の構造体から庇が各別に突設され、これらの庇が互いに接触せずに上下に離隔して配置されているので、振動発生領域から振動抑制領域への振動の伝搬を防止できると共に、上下に重なり合う平面配置により絶縁領域に雨が直接降りかかることを防止できる。したがって、振動抑制領域の構造体において、特に、絶縁領域に対向する部位からの漏水発生が低減できるという効果がある。
【００２２】
また本発明の振動伝搬防止構造を備える建築物では、振動発生領域と振動抑制領域とを繋ぐダクトを振動発生領域側が下方になるように傾斜させたので、たとえ、接続部のコーキング材が損傷したダクトに雨が降りかかったとしても、雨水は振動発生領域側へ流れて振動抑制領域における漏水発生を防止できる。
【００２３】
さらに、本発明の振動伝搬防止構造を備える建築物では、振動抑制領域におけるダクトの接続部位に緩衝室を設けたので、振動抑制領域に浸入した雨水は緩衝室に導かれてここから外部へ排水される。したがって、たとえ、クリーンルームのように漏水を嫌う設備が振動抑制領域に在ったとしても、ダクト接続部から流れ込んだ雨水により、クリーンルーム等の設備が損傷を受けることは無い。
【図面の簡単な説明】
【図１】（ａ）は本発明にかかる振動伝搬防止構造を備える建築物の平面図であり、（ｂ）はその断面図である。
【図２】本発明にかかる振動伝搬防止構造を部分的に拡大して示した断面図である。
【符号の説明】
１０  電子部品工場
１１  生産棟（振動抑制領域）
１２  クリーンルーム
１３  緩衝室
１４  絶縁領域
１５  空調機械棟（振動発生領域）
１６，１７  庇
１８  空調機械室
２０  空調ダクト
【図１】
0004745537.tif 000002
【図２】
0004745537.tif 000003